(57)【要約】【課題】表示面を露出させて表示部及び光源部を収容する筐体が、光源部を支持する機能を兼ねるとともに、筐体を取外してメンテナンスを行うことができる表示装置及び筐体を提供する。【解決手段】表示面を有する表示部１と、表示部１へ光を照射する光源部２と、表示面を露出させて少なくとも光源部２を収容する筐体３とを備え、該筐体３に、表示部１及び光源部２を筐体３の外部から結合するための雄螺子が挿通される第１孔と、表示部１及び光源部２の一方を筐体３の外部から該筐体３に取付けるための雄螺子が挿通される第２孔とを設け、第１孔を第２孔よりも大径とすることにより、第２孔に挿通される雄螺子の取外しにて筐体３を取外すことができるようにした。【選択図】図１
2011013505.tif 000002
【特許請求の範囲】
【請求項１】
表示面を有する表示部と、前記表示面を露出させて前記表示部を収容する筐体と、該筐体内に配される付設部品とを備える表示装置において、前記表示部及び付設部品の一方を前記筐体の外部から該筐体に取付ける取付部材と、前記表示部及び付設部品を前記筐体の外部から結合する結合部材とを備え、該結合部材よりも大径の孔を前記筐体に開設してあることを特徴とする表示装置。
【請求項２】
前記付設部品は、前記表示部に接続される回路基板及び該回路基板に接続されるスピーカの少なくとも一方である請求項１記載の表示装置。
【請求項３】
表示面を有する表示部と、該表示部へ光を照射する光源部と、前記表示面を露出させて少なくとも前記光源部を収容する筐体とを備える表示装置において、前記表示部及び光源部の一方を前記筐体の外部から該筐体に取付ける取付部材と、前記表示部及び光源部を前記筐体の外部から結合する結合部材とを備え、該結合部材よりも大径の孔を前記筐体に開設してあることを特徴とする表示装置。
【請求項４】
前記筐体を貫通する第２孔を有し、前記取付部材は、前記第２孔に挿通される取付軸体であり、前記結合部材は、前記孔に挿通される結合軸体である請求項１から３のいずれか一つに記載の表示装置。
【請求項５】
前記表示部は、表示パネル及び該表示パネルの周縁部を支持する第１の支持体を有し、前記光源部は、光源及び該光源を支持する第２の支持体を有し、該第２の支持体が前記取付軸体にて前記筐体に取付けられ、前記第１及び第２の支持体が前記結合軸体にて結合されている請求項４記載の表示装置。
【請求項６】
前記第２孔は前記孔よりも小径である請求項４又は５記載の表示装置。
【請求項７】
前記孔及び第２孔は前記筐体の複数の周方向位置に配してある請求項４から６のいずれか一つに記載の表示装置。
【請求項８】
前記筐体の外部から雄螺子にて前記表示部に取付けられる付設部品を備え、前記雄螺子よりも大径の第３孔を前記筐体に開設してある請求項３から７のいずれか一つに記載の表示装置。
【請求項９】
前記表示部及び光源部の一方は係止部を有し、他方は前記係止部に係止されて前記表示部及び光源部の離隔を止める被係止部を有する請求項３から８のいずれか一つに記載の表示装置。
【請求項１０】
表示面を有する表示部と、前記表示面を露出させて前記表示部を収容する筐体と、該筐体内に配される付設部品とを備える表示装置において、前記筐体は、前記表示部及び付設部品を前記筐体の外部から結合するための結合部材が挿通される第１孔と、前記表示部及び付設部品の一方を前記筐体の外部から該筐体に取付けるための取付部材が挿通される第２孔とを有し、前記第１孔は前記第２孔よりも大径であることを特徴とする表示装置。
【請求項１１】
表示面を有する表示部と、該表示部へ光を照射する光源部と、前記表示面を露出させて少なくとも前記光源部を収容する筐体とを備える表示装置において、前記筐体は、前記表示部及び光源部を前記筐体の外部から結合するための結合軸体が挿通される第１孔と、前記表示部及び光源部の一方を前記筐体の外部から該筐体に取付けるための取付軸体が挿通される第２孔とを有し、前記第１孔は前記第２孔よりも大径であることを特徴とする表示装置。
【請求項１２】
表示面を有する表示部を備える表示機器を、前記表示面を露出させて収容する筐体において、螺子部及び該螺子部の一端に連なる頭部を有する雄螺子の全体が挿通される大径の孔と、前記螺子部が挿通される小径の孔とを開設してあることを特徴とする筐体。
【請求項１３】
その中心部が内外に貫通する筒形のボスを有し、該ボスの先端が前記大径の孔である請求項１２記載の筐体。
【発明の詳細な説明】
【技術分野】
【０００１】
本発明は表示部を備えるテレビジョン等の表示装置、及び表示装置の少なくとも光源部を収容する筐体に関する。
【背景技術】
【０００２】
テレビジョン等の表示装置は、前側に表示面を有し直方体をなす表示パネル、該表示パネルを支持するフレーム、該フレームに装着される複数の回路基板及びスピーカ等の付設部品を有する内部ユニットと、前記表示面を露出させて前記内部ユニットの周縁部前側を覆うフロントキャビネットと、前記内部ユニットの後側を覆うバックキャビネットとを備え、該バックキャビネットと前記フロントキャビネットとが雄螺子にて締結されている（例えば、特許文献１参照）。
【０００３】
また、テレビジョン等の表示装置は、前側に表示面を有し直方体をなす表示パネル、該表示パネルの後側に配される光学シート、該光学シートに光を照射する光源、該光源を支持するシャーシ、該シャーシの後面に装着される複数の回路基板を有する表示部と、前記表示面を露出させて前記表示部の周縁部前側を覆うフロントキャビネットと、前記表示部の後側を覆うバックキャビネットとを備え、該バックキャビネットと前記フロントキャビネットとが雄螺子にて締結され、また、表示部に係止される係止爪が前記フロントキャビネットに設けられている（例えば、特許文献２参照）。
【先行技術文献】
【特許文献】
【０００４】
【特許文献１】特開２００７−１６３８６１号公報
【特許文献２】特開２００６−３３７９７６号公報
【発明の概要】
【発明が解決しようとする課題】
【０００５】
ところが、特許文献１のように構成された従来の表示装置は、内部ユニットの回路基板等のメンテナンスを行うべく雄螺子の弛緩にて、バックキャビネットが取外しされたとき、雄螺子によるフロントキャビネットの結合が解除され、該フロントキャビネットが転倒し易くなる。
【０００６】
また、特許文献２のように構成された従来の表示装置は、表示部の回路基板等のメンテナンスを行うべく雄螺子の弛緩にて、バックキャビネットが取外しされたとき、雄螺子による結合が解除されたフロントキャビネットは、係止爪にて表示部に係止されているため、フロントキャビネットの転倒は回避される。
【０００７】
しかし、従来の表示装置のフロントキャビネット及びバックキャビネットは、内部ユニット又は表示部を覆うにすぎず、また、表示装置にあって最も大型の部品であるため、このフロントキャビネット及びバックキャビネットを有効に利用することが要望されていた。
【０００８】
この要望を満たすには、バックキャビネットをベースとし、該バックキャビネットの内側に前記光源部及び表示部を装着することにより、バックキャビネットが光源部及び表示部の支持機能を兼ねる構成とすることが考えられる。
【０００９】
しかし、バックキャビネットが光源部及び表示部の支持機能を兼ねる構成とした場合、バックキャビネットを取外してメンテナンスを行うことができないため、さらなる改善策が要望されていた。
【００１０】
本発明は斯かる事情に鑑みてなされたものであり、主たる目的は表示面を露出させて表示部を収容する筐体が、表示部を支持する機能を兼ねるとともに、筐体を取外してメンテナンスを行うことができる表示装置及び筐体を提供することにある。
また、他の目的は表示面を露出させて表示部を収容する筐体が、光源部を支持する機能を兼ねるとともに、筐体を取外してメンテナンスを行うことができる表示装置及び筐体を提供することにある。
【課題を解決するための手段】
【００１１】
本発明に係る表示装置は、表示面を有する表示部と、前記表示面を露出させて前記表示部を収容する筐体と、該筐体内に配される付設部品とを備える表示装置において、前記表示部及び付設部品の一方を前記筐体の外部から該筐体に取付ける取付部材と、前記表示部及び付設部品を前記筐体の外部から結合する結合部材とを備え、該結合部材よりも大径の孔を前記筐体に開設してあることを特徴とする。
【００１２】
この発明にあっては、表示部及び付設部品の一方を取付部材にて筐体の外部から該筐体に取付けることができ、表示部及び付設部品を結合部材にて筐体の外部から結合することができるため、筐体への取付作業性、表示部及び付設部品の結合作業性を高めることができ、また、メンテナンスが行われる際、取付部材による筐体への取付けを筐体の外部から解除することにより、筐体を結合部材から離隔させ、該筐体に取付けられている表示部又は付設部品から筐体だけを取外すことができ、メンテナンスの作業性を高めることができる。
【００１３】
また、本発明に係る表示装置は、前記付設部品は、前記表示部に接続される回路基板及び該回路基板に接続されるスピーカの少なくとも一方である構成とするのが好ましい。
この発明にあっては、回路基板又はスピーカを雄螺子にて筐体の外部から表示部に取付けることができるため、回路基板又はスピーカの取付作業性を高めることができ、また、メンテナンスが行われる際、取付部材による筐体への取付けを筐体の外部から解除することにより、筐体を結合部材及び雄螺子から離隔させ、回路基板又はスピーカに影響されることなく筐体だけを取外すことができ、メンテナンスの作業性を高めることができる。
【００１４】
また、本発明に係る表示装置は、表示面を有する表示部と、該表示部へ光を照射する光源部と、前記表示面を露出させて少なくとも前記光源部を収容する筐体とを備える表示装置において、前記表示部及び光源部の一方を前記筐体の外部から該筐体に取付ける取付部材と、前記表示部及び光源部を前記筐体の外部から結合する結合部材とを備え、該結合部材よりも大径の孔を前記筐体に開設してあることを特徴とする。
【００１５】
この発明にあっては、表示部及び光源部の一方を取付部材にて筐体の外部から該筐体に取付けることができ、表示部及び光源部を結合部材にて筐体の外部から結合することができるため、筐体への取付作業性、表示部及び光源部の結合作業性を高めることができ、また、メンテナンスが行われる際、取付部材による筐体への取付けを筐体の外部から解除することにより、筐体を結合部材から離隔させ、該筐体に取付けられている表示部又は光源部から筐体だけを取外すことができ、メンテナンスの作業性を高めることができる。
【００１６】
また、本発明に係る表示装置は、前記筐体を貫通する第２孔を有し、前記取付部材は、前記第２孔に挿通される取付軸体であり、前記結合部材は、前記孔に挿通される結合軸体である構成とするのが好ましい。
この発明にあっては、筐体の外部から該筐体の第２孔に雄螺子等の取付軸体を嵌め込むことにより、表示部又は光源部を筐体の外部から該筐体に取付けることができ、また、筐体の外部から該筐体の孔に雄螺子等の結合軸体を嵌め込むことにより、表示部及び光源部を筐体の外部から結合することができるため、筐体への取付作業性、表示部及び光源部の結合作業性をより一層高めることができる。また、筐体の外部から取付軸体を取外すことにより、筐体を結合軸体から離隔させ、該筐体を取外すことができるため、メンテナンスの作業性をより一層高めることができる。
【００１７】
また、本発明に係る表示装置は、前記表示部は、表示パネル及び該表示パネルの周縁部を支持する第１の支持体を有し、前記光源部は、光源及び該光源を支持する第２の支持体を有し、該第２の支持体が前記取付軸体にて前記筐体に取付けられ、前記第１及び第２の支持体が前記結合軸体にて結合されている構成とするのが好ましい。
この発明にあっては、表示部の支持体及び光源部の支持体同士が結合軸体にて結合され、一方の支持体が取付軸体にて筐体に取付けられているため、第１及び第２の支持体と筐体とが一体となり、表示装置の剛性を高めることができる。
【００１８】
また、本発明に係る表示装置は、前記第２孔は前記孔よりも小径である構成とするのが好ましい。
この発明にあっては、大小２種類の孔を筐体に開設することにより、筐体の外部から該筐体に取付ける作業と、筐体の外部から表示部及び光源部を結合する作業とを行うことができるため、これら取付作業及び結合作業を筐体の外部から行うことができるようにするための構造が簡素であり、コストを低減することができる。
【００１９】
また、本発明に係る表示装置は、前記孔及び第２孔は前記筐体の複数の周方向位置に配してある構成とするのが好ましい。
この発明にあっては、筐体の複数の周方向位置に表示部又は光源部を筐体の外部から取付けることができるとともに、表示部及び光源部の複数の周方向位置を筐体の外部から結合することができ、剛性の高い表示装置を簡易に組み立てることができ、剛性の高い表示装置のコストを低減できる。
【００２０】
また、本発明に係る表示装置は、前記筐体の外部から雄螺子にて前記表示部に取付けられる付設部品を備え、前記雄螺子よりも大径の第３孔を前記筐体に開設してある構成とするのが好ましい。
この発明にあっては、付設部品を雄螺子にて筐体の外部から表示部に取付けることができるため、付設部品の取付作業性を高めることができ、また、メンテナンスが行われる際、取付部材による筐体への取付けを筐体の外部から解除することにより、筐体を結合部材及び雄螺子から離隔させ、付設部品に影響されることなく筐体だけを取外すことができ、メンテナンスの作業性を高めることができる。
【００２１】
また、本発明に係る表示装置は、前記表示部及び光源部の一方は係止部を有し、他方は前記係止部に係止されて前記表示部及び光源部の離隔を止める被係止部を有する構成とするのが好ましい。
この発明にあっては、係止部及び被係止部にて表示部と光源部とを仮り結合することができ、この仮り結合の状態で表示部及び光源部を結合部材にて結合することができるため、結合部材による結合作業工程よりも前工程で表示部、光源部の向きが変更されることがあっても、表示部及び光源部の相対関係を正確に維持することができ、結合部材による結合作業性を高めることができる。
【００２２】
また、本発明に係る表示装置は、表示面を有する表示部と、前記表示面を露出させて前記表示部を収容する筐体と、該筐体内に配される付設部品とを備える表示装置において、前記筐体は、前記表示部及び付設部品を前記筐体の外部から結合するための結合部材が挿通される第１孔と、前記表示部及び付設部品の一方を前記筐体の外部から該筐体に取付けるための取付部材が挿通される第２孔とを有し、前記第１孔は前記第２孔よりも大径であることを特徴とする。
この発明にあっては、筐体の外部から該筐体の第２孔に雄螺子等の取付部材を嵌め込むことにより、表示部又は付設部品を筐体の外部から該筐体に取付けることができ、また、筐体の外部から該筐体の第１孔に雄螺子等の結合部材を嵌め込むことにより、表示部及び付設部品を筐体の外部から結合することができるため、筐体への取付作業性、表示部及び付設部品の結合作業性を高めることができる。また、取付部材を筐体の外部から取外すことにより、筐体を結合部材から離隔させ、該筐体を取外し得るため、メンテナンスの作業性を高めることができる。
【００２３】
また、本発明に係る表示装置は、表示面を有する表示部と、該表示部へ光を照射する光源部と、前記表示面を露出させて少なくとも前記光源部を収容する筐体とを備える表示装置において、前記筐体は、前記表示部及び光源部を前記筐体の外部から結合するための結合軸体が挿通される第１孔と、前記表示部及び光源部の一方を前記筐体の外部から該筐体に取付けるための取付軸体が挿通される第２孔とを有し、前記第１孔は前記第２孔よりも大径であることを特徴とする。
この発明にあっては、筐体の外部から該筐体の第２孔に雄螺子等の取付軸体を嵌め込むことにより、表示部又は光源部を筐体の外部から該筐体に取付けることができ、また、筐体の外部から該筐体の第１孔に雄螺子等の結合軸体を嵌め込むことにより、表示部及び光源部を筐体の外部から結合することができるため、筐体への取付作業性、表示部及び光源部の結合作業性を高めることができる。また、取付軸体を筐体の外部から取外すことにより、筐体を結合軸体から離隔させ、該筐体を取外し得るため、メンテナンスの作業性を高めることができる。
【００２４】
また、本発明に係る筐体は、表示面を有する表示部を備える表示機器を、前記表示面を露出させて収容する筐体において、螺子部及び該螺子部の一端に連なる頭部を有する雄螺子の全体が挿通される大径の孔と、前記螺子部が挿通される小径の孔とを開設してあることを特徴とする。
この発明にあっては、大小２種類の孔に挿通する雄螺子を共通にでき、筐体の外部から雄螺子の螺子部を小径の孔に挿通することにより、表示機器の表示部又は光源部を筐体の外部から該筐体に取付けることができ、筐体の外部から雄螺子の全体を大径の孔に挿通することにより、表示機器の表示部及び光源部を筐体の外部から結合することができるため、これら取付及び結合の作業を外部から容易に行うことができる。
【００２５】
また、本発明に係る筐体は、その中心部が内外に貫通する筒形のボスを有し、該ボスの先端が前記大径の孔である構成とするのが好ましい。
この発明にあっては、表示部及び光源部の結合箇所が筐体の内面から離隔している場合においても、大径の孔が前記結合箇所から離隔する距離を短くすることができるため、大径の孔に挿通される雄螺子が筐体の内側に落下するのをなくすることができ、雄螺子による結合作業性を高めることができる。
【発明の効果】
【００２６】
本発明によれば、表示面を露出させて表示部を収容する筐体が、表示部を支持する機能を兼ねるとともに、筐体に取付けられている表示部又は付設部品から筐体だけを取外すことができ、メンテナンスの作業性を高めることができる。
また、本発明によれば、表示面を露出させて少なくとも光源部を収容する筐体が、光源部を支持する機能を兼ねるとともに、筐体に取付けられている表示部又は光源部から筐体だけを取外すことができ、メンテナンスの作業性を高めることができる。
【図面の簡単な説明】
【００２７】
【図１】本発明に係る表示装置の構成を示す展開した模式的斜視図である。
【図２】本発明に係る表示装置の構成を示す縦断側面図である。
【図３】筐体が取外しされた状態の表示装置の構成を示す縦断側面図である。
【図４】本発明に係る表示装置の一部を拡大した縦断面図である。
【図５】筐体が取外しされた状態の表示装置の模式的背面図である。
【図６】本発明に係る表示装置の他の構成を示す一部を拡大した縦断面図である。
【発明を実施するための形態】
【００２８】
以下本発明をその実施の形態を示す図面に基づいて詳述する。
実施の形態１
図１は本発明に係る表示装置の構成を示す展開した模式的斜視図、図２は表示装置の構成を示す縦断側面図、図３は筐体が取外しされた状態の表示装置の構成を示す縦断側面図、図４は表示装置の一部を拡大した縦断面図、図５は筐体が取外しされた状態の表示装置の模式的背面図である。
【００２９】
この表示装置はテレビ画像を表示する表示面１ａを前側に有し、略直方体をなす表示部１と、該表示部１の後側に配され、表示部１へ光を照射する光源部２と、表示面１ａを露出させて光源部２を収容する筐体３とを備え、表示部１及び光源部２の間に光学シート４を配してある液晶テレビジョンである。尚、表示部１及び光源部２が表示機器を構成している。
【００３０】
表示部１は、液晶の表示パネル１１と、該表示パネル１１の前後に配され、表示パネル１１の周縁部を前後に挾着して支持する前枠体１２及び後枠体１３と、表示面１ａの周縁よりも小さい開口を有し、前枠体１２を介して表示パネル１１を支持する外装枠体１４とを備える。前枠体１２及び後枠体１３は雄螺子等の締結部材にて結合され、表示パネル１１とがユニットに形成されている。尚、外装枠体１４が第１の支持体を構成している。
【００３１】
外装枠体１４は、環板部１４ａ及び該環板部１４ａの周縁に連なる枠部１４ｂを有し、合成樹脂材にて一体に成形されており、環板部１４ａの内側に、筒形をなし後方へ延出されている複数の第１ボス１４ｃが周方向に離隔して突設されている。枠部１４ｂの周縁部は筐体３の周縁部と前後に向き合っており、また、環板部１４ａの内側下部には、付設部品としてのスピーカ５が取付けられる筒形をなす第２ボス１４ｄが突設されている。尚、スピーカ５には第２ボス１４ｄに対応する挿通孔５１が設けられている。
【００３２】
光源部２は、光源としての複数の発光ダイオード２ａを一面に実装してあり、複数列に並置される複数の発光ダイオード基板２１と、発光ダイオード基板２１の一面に取付けられて発光ダイオード２ａの頂部と対向し、該発光ダイオード２ａが発光した光を拡散させる複数のレンズ２２と、発光ダイオード基板２１を複数列に並べて支持する第２の支持体２３と、該支持体２３の後面に台板２４にて装着される複数の回路基板２５と、発光ダイオード基板２１及び支持体２３の間に介在された金属製の放熱板２６と、発光ダイオード基板２１上に載置された反射シート２７とを備え、ユニットに形成されている。
【００３３】
支持体２３は矩形をなす板部２３ａ及び該板部２３ａの周縁に連なる枠部２３ｂを有し、合成樹脂材にて一体に成形されている。枠部２３ｂの周縁部には全周に亘って鍔２３ｃが突設され、該鍔２３ｃの複数の周方向位置に、前後に貫通する挿通孔２３ｄが開設されており、また、板部２３ａの周縁側には、前後に貫通する複数の取付孔２３ｅが周方向に離隔して開設されている。
【００３４】
板部２３ａの後面の一側部には、表示パネル１１に表示する映像信号を処理する信号処理回路基板２５ａが配され、板部２３ａの後面の他側部には、信号処理回路基板２５ａ及び発光ダイオード基板２１等に実装されている部品に電圧を供給する電源回路基板２５ｂが配され、板部２３ａの後面の中央部下側には表示パネル１１の駆動及び制御を行う制御回路基板２５ｃを配してある。また、板部２３ａの後面の一側部下側には、表示ランプ及びリモートコントロール用受光素子等を集約した表示回路基板２５ｄが装着されている。
【００３５】
筐体３は、中央部が深く、周縁部が浅い板部３１及び板部３１の周縁に連なる枠部３２を有し、合成樹脂材にて一体に成形されている。板部３１の複数の周方向位置に、前後に貫通し、取付孔２３ｅに対応する第２孔３３が開設されており、また、第２孔３３よりも周縁側に、その中心部が内外（前後）に貫通し、挿通孔２３ｄに対応する筒形ボス３４が一体に成形されており、該筒形ボス３４の先端が、挿通孔２３ｄに対応する第１孔３５になっている。
【００３６】
板部３１の内側下部には、スピーカ５を仮保持するためのスピーカ保持部３６及び第２ボス１４ｄに対応する筒形ボス３７が一体に成形されており、該筒形ボス３７の先端が、スピーカ５の挿通孔５１に対応する第３孔３８になっている。スピーカ保持部３６に仮保持されたスピーカ５は、挿通孔５１が第２ボス１４ｄ及び第３孔３８と前後に対向する。
【００３７】
第２孔３３は、螺子部６１及び該螺子部６１の一端に連なり、螺子部６１よりも大径の頭部６２を有し、第２孔３３及び第１孔３５に挿通される共通の雄螺子６の螺子部６１よりも若干大径であり、螺子部６１だけが挿通され、頭部６２が第２孔３３の縁周りに当接するように形成されている。また、第１孔３５及び第３孔３８は、雄螺子６の頭部６２よりも若干大径であり、雄螺子６の全体が挿通されるように形成されている。尚、第２孔３３は第１孔３５及び第３孔３８よりも小径である。また、雄螺子６が取付軸体及び結合軸体を構成している。
【００３８】
光学シート４は、発光ダイオードが発光した光を拡散する比較的厚肉の拡散板４１と、反射偏光板、プリズムシート等の比較的薄肉の合成樹脂シート４２とが積層された積層体であり、周縁部が反射シート２７及び放熱板２６を介して支持体２３の板部２３ａに支持されている。
【００３９】
以上のように構成された表示装置の組立ては次の(1) 〜(4) の工程で行う。
(1) 作業台上にて前枠体１２、表示パネル１１及び後枠体１３が結合され、外装枠体１４を除く表示部１が形成される。
(2) 別の作業台上にて、発光ダイオード基板２１、放熱板２６、反射シート２７及び回路基板２５が支持体２３に装着され、光源部２が形成される。
(3) 筐体３内に光源部２が載置され、該光源部２の支持体２３が雄螺子６にて筐体３に取付けられる。この際、光源部２の回路基板２５が板部２３ａの中央部に配され、支持体２３における板部２３ａの周縁部が板部３１の周縁部と対向し、支持体２３の鍔２３ｃが筒形ボス３４と対向し、取付孔２３ｅ及び第２孔３３が前後に対向するとともに、挿通孔２３ｄ及び第１孔３５が前後に対向する。また、スピーカ保持部３６にスピーカ５が仮保持され、該スピーカ５の挿通孔５１及び第３孔３８が前後に対向する。
因って、雄螺子６の螺子部６１を筐体３の外部から小径の第２孔３３に挿通し、支持体２３の取付孔２３ｅに捩込むことにより、光源部２を筐体３の内側に雄螺子６にて取付けることができる。
(4) 筐体３の内側に取付けられた光源部２上に光学シート４が載置され、該光学シート４上に、外装枠体１４を含む表示部１が載置される。この際、光源部２の挿通孔２３ｄ及び第１ボス１４ｃが前後に対向し、スピーカ５の挿通孔５１及び第２ボス１４ｄが前後に対向する。
【００４０】
因って、雄螺子６の全体を筐体３の外部から大径の第１孔３５及び光源部２の挿通孔２３ｄに挿通し、第１ボス１４ｃの孔に捩込むことにより、表示部１の外装枠体１４及び光源部２の支持体２３を雄螺子６にて結合することができる。
【００４１】
この際、図２、図４に示すように第１孔３５は雄螺子６の頭部６２よりも大径であり、雄螺子６は筐体３の板部３１を締付けていないため、雄螺子６に対して筐体３を後方へ離隔させ得る。また、雄螺子６の全体を筐体３の外部から大径の第３孔３８及びスピーカ５の挿通孔５１に挿通し、第２ボス１４ｄの孔に捩込むことにより、スピーカ５を第２ボス１４ｄに取付けることができる。この際においても、第３孔３８は雄螺子６の頭部６２よりも大径であり、雄螺子６は筐体３の板部３１を締付けていないため、雄螺子６に対して筐体３を後方へ離隔させ得る。
【００４２】
以上のように共通の雄螺子６を、筐体３の外部から該筐体３の第１孔３５及び第２孔３３に挿通することにより、一方の雄螺子６にて光源部２を筐体３の内側に取付けることができ、他方の雄螺子６にて表示部１及び光源部２を結合することができるため、これら取付作業及び結合作業を筐体３の外部から行うことができるようにするための構造が簡素であり、筐体３への取付作業性、表示部１及び光源部２の結合作業性を高めることができる。
【００４３】
また、メンテナンスが行われる際、図３に示すように一方の雄螺子６を筐体３の外部から取外すことにより、光源部２の筐体３への取付けを解除することができるため、筐体３を後方へ引張ることにより、表示部１及び光源部２を結合してある雄螺子６から後方へ離隔させ、該筐体３に取付けられている光源部２から筐体３だけを取外すことができ、回路基板２５等のメンテナンスの作業性を高めることができる。
【００４４】
また、共通の雄螺子６を、筐体３の外部から該筐体３の第３孔３８に挿通することにより、雄螺子６にてスピーカ５を表示部１に取付けることができるため、この取付作業を筐体３の外部から行うことができるようにするための構造が簡素であり、スピーカ５等の付設部品の筐体３への取付作業性を高めることができる。このように付設部品が装着されている場合においても、メンテナンスが行われる際、雄螺子６を筐体３の外部から取外し、筐体３を後方へ引張ることにより、表示部１及び光源部２を結合してある雄螺子６及びスピーカ５を取付けてある雄螺子６から後方へ離隔させ、該筐体３に取付けられている光源部２から筐体３だけを取外すことができ、回路基板２５等のメンテナンスの作業性を高めることができる。
【００４５】
実施の形態２
図６は本発明に係る表示装置の他の構成を示す一部を拡大した縦断面図である。この表示装置は、筐体３における枠部３２の周縁部、及び外装枠体１４における枠部１４ｂの周縁部の一方に、凸状の係止部７を設け、該係止部７に係止される凸状の被係止部８を他方に設け、係止部７及び被係止部８にて表示部１及び光源部２を仮結合し、雄螺子６にて表示部１及び光源部２が結合されるまでの組立て工程時に、表示部１及び光源部２が不測に離隔するのを防ぐことができるように構成したものである。
【００４６】
この実施の形態において、係止部７は筐体３及び外装枠体１４の一方と一体に成形されており、被係止部８は他方と一体に成形されており、枠部３２又は枠部１４ｂの一部を厚さ方向へ押圧して撓ませることにより、係止部７及び被係止部８による仮結合を解除することができるように構成されている。また、係止部７及び被係止部８は、枠部３２、枠部１４ｂの複数の周方向位置に設けられている。
【００４７】
この実施の形態にあっては、係止部７及び被係止部８にて表示部１と光源部２とが仮結合されている状態で表示部１及び光源部２を筐体３の外部から雄螺子６にて結合することができるため、雄螺子６による結合作業工程よりも前工程で表示部１、光源部２の向きが変更されることがあっても、表示部１及び光源部２の相対関係を正確に維持することができ、雄螺子６による結合作業性を高めることができる。
その他の構成及び作用は実施の形態１と同様であるため、同様の部品については同じ符号を付し、その詳細な説明及び作用効果の説明を省略する。
【００４８】
尚、以上説明した実施の形態の表示装置は、表示部１及び光源部２を筐体３が収容する構成としたが、その他、プラズマテレビジョン等の光源部がない表示装置にあっては、表示部１と、該表示部１に付設される回路基板、スピーカ等の付設部品を備える構成としてもよい。
【００４９】
また、以上説明した実施の形態の表示部１は、表示パネル１１、前枠体１２及び後枠体１３を有するパネルユニットを外装枠体１４が支持する構成としたが、その他、表示部１は、外装枠体１４が前記パネルユニットに結合されている構成としてもよいし、また、前枠体１２をなくし、外装枠体１４と後枠体１３とが表示パネル１１の周縁部を前後に挾持する構成としてもよい。
【００５０】
また、以上説明した実施の形態では、光学シート４が光源部２上に載置され、表示部１及び光源部２が雄螺子６にて結合される際、表示部１及び光源部２の間に光学シート４が挟み込まれる構成としたが、その他、光学シート４は、表示部１又は光源部２の周縁部に保持される構成としてもよい。
【００５１】
また、以上説明した実施の形態の筐体３は、光源部２だけを収容する構成、換言すると表示機器の光源部側だけを収容する構成としたが、その他、表示面１ａを露出させて外装枠体１４を含む表示部１及び光源部２を収容する構成、換言すると表示機器の全体を収容する構成としてもよい。
【００５２】
また、以上説明した実施の形態では、取付部材及び結合部材が、第１孔３５及び第２孔３３に挿通される雄螺子６を有する構成としたが、その他、取付部材及び結合部材は、表示部１、光源部２に保持される雄螺子及び該雄螺子に筐体３の外部から螺着されるナットを有する構成としてもよいし、また、筐体３の外部から取付／取外しを行うことが可能なピン部材を有する構成としてもよい。
【符号の説明】
【００５３】
１    表示部
１ａ  表示面
１１  表示パネル
１４  外装枠体（第１の支持体）
２    光源部
２ａ  光源（発光ダイオード）
２３  支持体（第２の支持体）
３    筐体
３３  第２孔（大径の孔）
３４  筒形ボス（ボス）
３５  第１孔（孔、小径の孔）
３８  第３孔
５    スピーカ（付設部品）
６    雄螺子（取付軸体、結合軸体、取付部材、結合部材）
６１  螺子部
６２  頭部
７    係止部
８    被係止部
【図１】
2011013505.tif 000003
【図２】
2011013505.tif 000004
【図３】
2011013505.tif 000005
【図４】
2011013505.tif 000006
【図５】
2011013505.tif 000007
【図６】
2011013505.tif 000008